(57)【要約】      （修正有）【課題】棚板に切り欠かれた配線用の切欠が棚板の上下から視認できないようにして見栄えを高めるキャップ部材の提供。【解決手段】キャップ部材１０ａ・１０ｂは、家具の棚板５に設けた配線用の切欠６を上下から覆う一対のものである。一対の各キャップ部材１０ａ・１０ｂは、前記切欠６の全体を覆う面積を持つキャップ本体１１ａ・１１ｂと、前記キャップ本体１１ａ・１１ｂに突設され、前記切欠６の近傍に穿設された取付孔７に上下から圧入される取付ピン１２ａ・１２ｂと、前記切欠６の切断端面に接触する第１係止舌片１３ａ・１３ｂ、及び家具の背板３に接触する第２係止舌片１４ａ・１４ｂとが設けられ、一方のキャップ部材１０ａには、前記切欠６部分に合わせて接合筒部１５ａ・１６ａが設けられ、他方のキャップ部材１０ｂには、前記接合筒部１５ａ・１６ａに合わせて前記接合筒部１５ａ・１６ａに挿入される挿入突起部１５ｂ・１６ｂが設けられている。【選択図】図２
2020146107.tif 000002
【特許請求の範囲】
【請求項１】
家具の棚板に設けた配線用の切欠を上下から覆う一対のキャップ部材において、
前記一対の各キャップ部材は、前記切欠の全体を覆う面積を持つキャップ本体と、
前記キャップ本体に突設され、前記切欠の近傍に穿設された取付孔に上下から圧入される取付ピンと、前記切欠の切断端面に接触する第１係止舌片、及び家具の背板に接触する第２係止舌片とが設けられ、
一方のキャップ部材には、前記切欠部分に合わせて接合筒部が設けられ、
他方のキャップ部材には、前記接合筒部に合わせて前記接合筒部に挿入される挿入突起部が設けられていることを特徴とする棚板の配線用切欠のキャップ部材。
【請求項２】
背板側長辺から側板側短辺に至るキャップ本体の角部を切除するために角部切取用溝が、キャップ本体に設けられていることを特徴とする請求項１に記載の棚板の配線用切欠のキャップ部材。
【請求項３】
一方のキャップ部材において、第１接合筒部と第２接合筒部との間を通過し、側板側短辺から内側短辺に至る横方向切取溝がキャップ本体に設けられ、
他方のキャップ部材において、第１挿入突起部と第２挿入突起部との間を通過し、側板側短辺から内側短辺に至る横方向切取溝がキャップ本体に設けられていることを特徴とする請求項１又は２に記載の棚板の配線用切欠のキャップ部材。
【請求項４】
家具内に取り付けられ、奥角部分が切り取られて配線用の切欠が形成され、切欠の近傍にて上下に貫通した取付孔を有する棚板と、前記棚板の上下に配置された請求項１〜３のいずれかに記載の一対のキャップ部材とで構成され、
前記キャップ部材の取付ピンは前記取付孔に上下からそれぞれ圧入され、
第１係止舌片は前記切欠の切断端面に接触し、第２係止舌片は家具の背板に接触するように前記切欠内に挿入されており、
一方のキャップ部材の接合筒部に、他方のキャップ部材の挿入突起部が挿入されていることを特徴とするキャップ部材の棚板への取付構造。
【発明の詳細な説明】
【技術分野】
【０００１】
本発明は、例えば、ＡＶ機器などを収納する収納家具の固定棚或いは自在棚の奥角部分に切り欠かれた配線用切欠を、不使用時に上下から閉塞するキャップ部材並びにその取付構造に関する。
【背景技術】
【０００２】
従来からビデオデッキ、ＤＶＤレコーダー、ＢＤレコーダーや薄型テレビなどのＡＶ機器、テープ、ディスク、映像ソフトなどの備品を１箇所にまとめて見栄えよく収納することができる収納家具が用いられ、例えば、リビングの壁に沿って配置されている。これら家電製品には配線が必要であるため、家具内部に引き込まれた配線が外から見えにくいようにするため、或いは邪魔にならないようにするため、収納家具の棚板の奥角部分に配線用の切欠が切り欠かれている。
【０００３】
上記備品はユーザーによっては常に使用されるという訳でなく、棚にスペースが発生することがある。このような場合、使用しない上記配線用の切欠が上から見え見栄えが悪いという指摘があった。そこで棚板の上からキャップ部材を配線用の切欠に取り付け、棚板の上から配線用の切欠が見えないようにしていた（特許文献１）。
【先行技術文献】
【特許文献】
【０００４】
【特許文献１】特開平２０１３−１１１１１６公報
【発明の概要】
【発明が解決しようとする課題】
【０００５】
しかしながら、上記キャップをすることによって、棚板の上から配線用の切欠が見えないものの、棚板が目線の位置よりも高い位置にある場合、（特に、看者が座っている場合、）棚板の下から配線用の切欠が見えやはり見栄えが悪いということが指摘されていた。
【０００６】
加えてこのキャップ部材の棚板への固定は、キャップ本体の下面の２本の取付ピンの棚板に穿設された取付孔への挿入だけで行われており、切欠の下からキャップ部材に力が加わると外れやすいという欠点も指摘されていた。
本発明は、このような問題点に鑑みてなされたもので、配線をしない場合に棚板の配線用の切欠を上下から塞いでその見栄えを高めることが出来るキャップ部材の提供と、該キャップ部材が装着された見栄えの良い取付構造を提供するにある。
【課題を解決するための手段】
【０００７】
請求項１に記載の発明は、家具１の棚板５に設けた配線用の切欠６を上下から覆う一対のキャップ部材１０ａ・１０ｂであって、
前記一対の各キャップ部材１０ａ・１０ｂは、前記切欠６の全体を覆う面積を持つキャップ本体１１ａ・１１ｂと、
前記キャップ本体１１ａ・１１ｂに突設され、前記切欠６の近傍に穿設された取付孔７に上下から圧入される取付ピン１２ａ、１２ｂと、前記切欠６の切断端面６ａに接触する第１係止舌片１３ａ・１３ｂ、及び家具１の背板３に接触する第２係止舌片１４ａ・１４ｂとが設けられ、
一方のキャップ部材１０ａには、前記切欠６部分に合わせて接合筒部１５ａ（１６ａ）が設けられ、
他方のキャップ部材１０ｂには、前記接合筒部１５ａ（１６ａ）に合わせて前記接合筒部１５ａ（１６ａ）に挿入される挿入突起部１５ｂ（１６ｂ）が設けられていることを特徴とする。
【０００８】
請求項２は、請求項１に記載の発明において、背板側長辺１７ａ・１７ｂから側板側短辺１８ａ・１８ｂに至るキャップ本体１１ａ・１１ｂの角部３０ａ・３０ｂを切除するために角部切取用溝３２ａ・３２ｂがキャップ本体１１ａ・１１ｂに設けられていることを特徴とする。
【０００９】
請求項３は、請求項１又は２に記載の発明において、一方のキャップ部材１０ａにおいて、第１接合筒部１５ａと第２接合筒部１６ａとの間を通過し、側板側短辺１８ａから内側短辺２０ａに至る横方向切取溝３１ａがキャップ本体１１ａに設けられ、
他方のキャップ部材１０ｂにおいて、第１挿入突起部１５ｂと第２挿入突起部１６ｂとの間を通過し、側板側短辺１８ｂから内側短辺２０ｂに至る横方向切取溝３１ｂがキャップ本体１１ｂに設けられていることを特徴とする。
【００１０】
請求項４に記載の発明は、請求項１〜３に記載のキャップ部材１０ａ・１０ｂの棚板５への取付構造であって、
家具１内に取り付けられ、奥角部分が切り取られて配線用の切欠６が形成され、切欠６の近傍にて上下に貫通した取付孔７を有する棚板５と、前記棚板５の上下に配置された請求項１〜３のいずれかに記載の一対のキャップ部材１０ａ・１０ｂとで構成され、
前記キャップ部材１０ａ・１０ｂの取付ピン１２ａ・１２ｂは前記取付孔７に上下からそれぞれ圧入され、
第１係止舌片１３ａ・１３ｂは前記切欠６の切断端面６ａに接触し、第２係止舌片１４ａ・１４ｂは家具１の背板３に接触するように前記切欠６内に挿入されており、
一方のキャップ部材１０ａの接合筒部１５ａ（１６ａ）に、他方のキャップ部材１０ｂの挿入突起部１５ｂ（１６ｂ）が挿入されていることを特徴とする。
【発明の効果】
【００１１】
請求項１及び４は、棚板５に配線用の切欠６の全面を上下から被覆できるので、配線しない場合には、上からは勿論、下からも該切欠６が視認されず、該棚板５を有する家具１の外観を高めることが出来る。加えて、棚板５の取り付けは、取付ピン１２ａ・１２ｂだけでなく、接合筒部１５ａ（１６ａ）と挿入突起部１５ｂ（１６ｂ）とで行われるので、上下のキャップ部材１０ａ・１０ｂが棚板５に確実に固定される。
【００１２】
請求項２では、角部切取用溝３２ａ・３２ｂがキャップ本体１１ａ・１１ｂに設けられているので、角部切取用溝３２ａ・３２ｂに沿ってキャップ本体１１ａ・１１ｂの角部３０ａ・３０ｂを切除することで、配線を切欠６に通す場合に配線と切欠６との間の余分な隙間を塞ぐことが出来る。
【００１３】
請求項３では、横方向切取溝３１ａ・３１ｂがキャップ本体１１ａ・１１ｂにそれぞれ設けられているので、横方向切取溝３１ａ・３１ｂに沿ってキャップ本体１１ａ・１１ｂの奥端部分を切除することで、配線を切欠６に通す場合に配線と切欠６との間の余分な隙間を塞ぐことが出来る。
加えて、一方の横方向切取溝３１ａが第１接合筒部１５ａと第２接合筒部１６ａとの間、他方の横方向切取溝３１ａ・３１ｂが第１挿入突起部１５ｂと第２挿入突起部１６ｂとの間を通過するように設けられているので、上記のように奥端部分を切除したとしても、第１接合筒部１５ａとこれに挿入される第１挿入突起部１５ｂが残留するので、キャップ部材１０ａ・１０ｂの固定状態は維持される。
【図面の簡単な説明】
【００１４】
【図１】本発明のキャップ部材の装着状態を示す一部切欠分解斜視図である。
【図２】本発明のキャップ部材の装着状態を示す特大斜視図である。
【図３】図２のＸ−Ｘ断面矢視図である。
【図４】図２のＹ−Ｙ断面矢視図である。
【図５】本発明の下側のキャップ部材の斜視図とその部分拡大図である。
【図６】本発明の下側のキャップ部材の平面図である。
【図７】本発明のキャップ部材の切取用溝の部分拡大断面図である。
【発明を実施するための形態】
【００１５】
以下、本発明を図示実施例に従って詳述する。本発明が適用される家具１は、壁面９に沿って配置されるような本棚、テレビ台、飾り棚、書棚など固定又は自在棚板５（以下、単に棚板５という。）を有する壁面収納家具である。そして家具１の側板２と背板３に臨む棚板５の奥角部分が四角に切り取られて配線用の切欠６が形成されている。
配線用の切欠６はプラグが通過できる大きさであればよく、奥行きで３５ｍｍ程度、横幅で１４ｍｍ程度である。この切欠６の最大横幅を符号Ｈ、最大奥行き長さを符号Ｓで示す。そして、切欠６の長辺に沿って切欠６の近傍に棚板５を上下に貫通する２つの取付孔７が穿設されている。
【００１６】
本発明のキャップ部材１０ａ・１０ｂは一対で用いられ、これらで配線用の切欠６が上下から閉塞される。上下のキャップ部材１０ａ・１０ｂは、キャップ本体１１ａ・１１ｂ、取付ピン１２ａ・１２ｂ、第１・第２係止舌片１３ａ・１３ｂ／１４ａ・１４ｂ、及び第１、第２接合筒部１５ａ・１６ａ、第１、第２挿入突起部１５ｂ・１６ｂとで構成されている。そして、切欠６をキャップ部材１０ａ・１０ｂで閉塞した時、取付ピン１２ａ・１２ｂ、第１・第２係止舌片１３ａ・１３ｂ／１４ａ・１４ｂ、及び第１、第２接合筒部１５ａ・１６ａ、第１、第２挿入突起部１５ｂ・１６ｂは、キャップ本体１１ａ・１１ｂの対向面に形成されている。なお、キャップ部材１０ａ・１０ｂは、後述する第１、第２接合筒部１５ａ・１６ａ、第１、第２挿入突起部１５ｂ・１６ｂ以外の部分は対称に作られている。
本発明のキャップ部材１０ａ・１０ｂの説明は、下側のキャップ部材１０ａを中心に説明し、相違する第１、第２接合筒部１５ａ・１６ａ、第１、第２挿入突起部１５ｂ・１６ｂ以外の部分は上側のキャップ部材１０ｂの説明に援用する。以下、本発明の下側のキャップ部材１０ａに付いて説明する。
【００１７】
キャップ部材１０ａは、キャップ本体１１ａ、２本の取付ピン１２ａ、第１・第２係止舌片１３ａ・１４ａ、及び第１・第２接合筒部１５ａ・１６ａとで構成されている。キャップ部材１０ａ全体は樹脂製である。
キャップ本体１１ａは薄板で、配線用の上記切欠６（最大横幅Ｈ及び最大奥行き長さＳ）をキャップできる大きさであればよく、本実施例ではキャップ本体１１ａの横幅を９０ｍｍ〜１００ｍｍ、奥行き幅を３０ｍｍ〜４０ｍｍの長方形とした。勿論、その形状は長方形に限られないが、キャップ部材１０ａの設置場所が家具１の棚板５の奥角部分であるから少なくとも直交する隣接二辺（背板側長辺１７ａ、側板側短辺１８ａと呼ぶ。）が直線状に形成された形状を持てば足る。
【００１８】
本実施例ではキャップ本体１１ａは上記のように長方形で、背板３と側板２に接する背板側長辺１７ａと側板側短辺１８ａ、及びその反対側の二辺（これらを前側長辺１９ａ、内側短辺２０ａと呼ぶ。）も直線状に形成されている。
前記前側長辺１９ａと内側短辺２０ａのコーナー部分が円弧状に形成され、且つ、前記前側長辺１９ａと内側短辺２０ａの表面側の縁は全長にわたって先端に近付くに連れて次第に薄肉となるテーパー面２１となるように形成されている。
【００１９】
そして、キャップ本体１１ａの背板側長辺１７ａに沿って直線状の横方向切取用溝３１ａがキャップ本体１１ａの長手方向の全長に亙って２条形成されている。この横方向切取用溝３１ａの本数は２本に限られず、１本でもよいし、３本以上でもよい。
【００２０】
また、背板３、側板２のそれぞれ接する背板側長辺１７ａ、側板側短辺１８ａの直交するキャップ本体１１ａの角部３０ａには、この角部３０ａを切り取ることが出来るようにＬ形の角部切取用溝３２ａが刻設されている。
この角部切取用溝３２ａは、背板側長辺１７ａから横方向切取用溝３１ａに直交してこれらを越え、更にその先端から直角に曲がって側板側短辺１８ａに至る。
両切取用溝３１ａ・３２ａの断面形状はカッターの刃をガイドしやすいようにキャップ本体１１ａの厚みの半分程度の深さで横断面Ｖ字状に形成されている（図７参照）。両切取用溝３１ａ・３２ａは、図の実施例では、キャップ本体１１ａ・１１ｂの対向面に形成されているが、反対の面に形成してもよい。
【００２１】
キャップ部材１０ａ全体は、ＡＢＳのような硬質樹脂で形成するようにしてもよいし、キャップ本体１１ａの一部をスチロール樹脂のような軟質樹脂で形成してこの部分を切除可能部分とし、その余の部分を非切除部分とし、この部分を前記硬質樹脂で形成してもよい。図６中、格子模様の部分が非切除部分、白抜きの部分が切除可能部分である。
【００２２】
白抜きの切除可能部分は、角部切取用溝３２ａで囲まれた部分と、前側長辺１９ａに近い方の横方向切取用溝３２ａと背板側長辺１７ａとで囲まれた細長い部分の内の側板側短辺１８ａから背板側長辺１７ａの全長の３／４〜４／５まで（換言すれば、切欠６の短辺の内側）の部分の和である。
ただし、この切除可能部分も含めて、キャップ部材１０ａ全体をＡＢＳのような硬質樹脂で形成したとしても、両切取用溝３１ａ、３２ａがＶ溝に形成されているため、カッターでの切断は可能である。
【００２３】
図の実施例のように、キャップ本体１１ａの両切取用溝３１ａ、３２ａが形成されている面（対向面）には、既述の２本の取付ピン１２ａ、第１・第２係止舌片１３ａ・１４ａ、及び第１・第２接合筒部１５ａ・１６ａが形成されている。
【００２４】
２本の取付ピン１２ａは、前側長辺１９ａに沿い、前側長辺１９ａの近傍に突設されている。取付ピン１２ａの取り付け位置と間隔は、取付孔７の形成位置と間隔に等しい。取付ピン１２ａの高さは、取付孔７の１／２以下である。
取付ピン１２ａ外形は、円柱状のピン本体４１ａとその外面に長手方向に設けられた複数本（図の実施例では４本）のリブ４２ａとで構成されている。
リブ４２ａはキャップ本体１１ａ側のピン基部とその近くの部分の突出代が大きく、ピン先端に近付くに連れてその突出代が小さくなり、ピン先端手前でピン本体４１ａの外面に一致する。即ち、リブ４２ａは、ピン本体４１ａの外面に沿って設けられた背の高い直角三角形或いは台形を有する。
そして、ピン基部におけるピン本体４１ａを中心として互いに反対側にある２つのリブ４２ａ間の距離をＤ１とし、ピン本体４１ａの先端の直径をＤ２とすると、ピン本体４１ａの先端の直径Ｄ２は、取付孔７の内径より小さく、ピン基部のリブ４２ａ間の距離Ｄ１は取付孔７の内径より若干大きく、挿入時、両取付ピン１２ａは取付孔７に圧入される。
【００２５】
第１係止舌片１３ａは、上記白抜き部分（図６参照）で示す切除可能部分から外れ、その一方の側面が側板側短辺１８ａに一致して立設され、その第１凹凸面５３ａが前側長辺１９ａ側に向けて設けられている。第１凹凸面５３ａはキャップ本体１１ａの面に平行な係止稜線を持つ断面三角形の凹凸形状に形成されている。
背板側長辺１７ａから第１係止舌片１３ａの第１凹凸面５３ａまでの距離は、棚板５の切欠６の奥行き幅より若干大きく形成されている。図６のＬ形の太線は切欠６を示し、装着時、第１係止舌片１３ａの第１凹凸面５３ａが切欠６の切断端面６ａに強く接している状態を示している。
【００２６】
第２係止舌片１４ａは、第１係止舌片１３ａと同じ形状で、内側短辺２０ａに近い部分の非切除可能部分で、背板側長辺１７ａに沿って立設されている。第２係止舌片１４ａの背板３側の面（第２凹凸面６４ａ）は、第１凹凸面５３ａと同様の凹凸形状に形成され、この第２凹凸面６４ａは背板側長辺１７ａより若干背方に突出している。従って、切欠６に装着時にこの第２凹凸面６４ａが強く接することになる。
第１・第２係止舌片１３ａ・１４ａの高さは、棚板５の厚みの１／２を越えない高さに形成される。
【００２７】
下側のキャップ部材１０ａに設けられる第１・第２接合筒部１５ａ・１６ａは同一形状で、第１接合筒部１５ａは、角部切取用溝３２ａの切除側（角部切取用溝３２ａを挟んで第１係止舌片１３ａの反対側）に立設されている。
第２接合筒部１６ａは、横方向切取用溝３１ａと角部切取用溝３２ａのコーナー部分で、第２係止舌片１４ａ側に立設されている。第１・第２接合筒部１５ａ・１６ａの高さは、棚板５の厚みより若干短く形成され、その内径は後述する第１・第２挿入突起部１５ｂ、１６ｂの外径にほぼ等しく、装着時に若干圧入気味に挿入される。
【００２８】
上側のキャップ部材１０ｂは、上記第１・第２接合筒部１５ａ・１６ａに挿入される第１・第２挿入突起部１５ｂ、１６ｂ以外は、既述のように同一形状である。
第１・第２挿入突起部１５ｂ、１６ｂの外径は、下側の第１・第２接合筒部１５ａ・１６ａの内径にほぼ等しく、上記のように圧入気味に挿入されるようになっている。その高さは、棚板５の厚みより若干短く形成されている。なお、第１・第２接合筒部１５ａ・１６ａとこれに対応する第１・第２挿入突起部１５ｂ、１６ｂとはキャップ部材１０ａ・１０ｂにおいて、同一位置に設けられている。
【００２９】
しかして、図１に示すように壁面９に沿わせて家具１を配置する。家具１内に配線（図示せず）を引き込む必要がない場合、棚板５の切欠６の上下から一対のキャップ部材１０ａ・１０ｂをあてがい、該切欠き６を上下からキャップ本体１１ａ・１１ｂで閉塞する。この時、上下計４本の取付ピン１２ａ・１２ｂが、２個の取付孔７にそれぞれ上下から圧入され、リブ４２ａ・４２ｂの基部が取付孔７の内面に強く接触する。
【００３０】
また、第１接合筒部１５ａに第１挿入突起部１５ｂが圧入され、第２接合筒部１６ａに第２挿入突起部１６ｂが圧入される。これにより、上下のキャップ部材１０ａ・１０ｂは切欠６の全面を覆った状態で互いに強固に固定される。
これにより、棚板５の上下において、切欠６が外部から視認されるようなことがない。
【００３１】
これに加えて、下側のキャップ部材１０ａの第１係止舌片１３ａの第１凹凸面５３ａ、及び上側のキャップ部材１０ｂの第１係止舌片１３ｂの第１凹凸面５３ｂは上下の同位置において、切欠６の切断端面６ａを強く圧接する。
同時に下側のキャップ部材１０ａの第２係止舌片１４ａの第２凹凸面６４ａ、及び上側のキャップ部材１０ｂの第２係止舌片１４ｂの第２凹凸面６４ｂは上下の同位置において、背板３に強く圧接する。これにより上下のキャップ部材１０ａ・１０ｂは、棚板５の上下の平面に平行な方向において強固に固定され、水平の外力が加わっても水平方向にずれない。
【００３２】
なお、棚板５の上に電子機器が配置され、配線（図示せず）が家具１内に引き込まれる場合があるが、その場合は、キャップ部材１０ａ・１０ｂを使用せず、配線を切欠６内を通すようにしてもよいが、配線と切欠６との間に大きな隙間が発生する場合、キャップ部材１０ａ・１０ｂの横方向切取用溝３１ａ・３１ｂや角部切取用溝３２ａ・３２ｂを利用して切除可能部分を適当な大きさで切除し、切欠６の一部分を被覆するようにしてもよい。
【００３３】
この場合、角部切取用溝３２ａ・３２ｂを利用して角部３０ａ・３０ｂを切除する場合は、第２接合筒部１６ａ、第２挿入突起部１６ｂが残るので、キャップ部材１０ａ・１０ｂの固定は維持される。横方向切取用溝３１ａ・３１ｂを利用する場合、通常、キャップ本体１１ａ・１１ｂの全長に亙って切除することはなく、切欠６の内側の切除可能範囲内の適所と、側板側短辺１８ａ・１８ｂとの間で切除されることになる。そしてこの場合は、第１接合筒部１５ａ、第１挿入突起部１５ｂが残るので、キャップ部材１０ａ・１０ｂの固定は上記同様維持される。
棚板５はキャップ部材１０ａ・１０ｂの使用により、優れた外観を呈する事となる。
【符号の説明】
【００３４】
Ｄ１：ピン基部側のリブ間距離、Ｄ２：ピン先端の直径、Ｈ：横幅、Ｓ：奥行き幅、１：家具、２：側板、３：背板、５：棚板、６：切欠、６ａ：切断端面、７：取付孔、９：壁面、１０ａ・１０ｂ：キャップ部材、１１ａ・１１ｂ：キャップ本体、１２ａ・１２ｂ：取付ピン、１３ａ・１３ｂ：第１係止舌片、１４ａ・１４ｂ：第２係止舌片、１５ａ：第１接合筒部、１５ｂ：第１挿入突起部、１６ａ：第２接合筒部、１６ｂ：第２挿入突起部、１７ａ・１７ｂ：背板側長辺、１８ａ・１８ｂ：側板側短辺、１９ａ・１９ｂ：前側長辺、２０ａ・２０ｂ：内側短辺、２１：テーパー面、３０ａ・３０ｂ：角部、３１ａ・３１ｂ：横方向切取用溝、３２ａ・３２ｂ：角部切取用溝、４１ａ・４１ｂ：ピン本体、４２ａ・４２ｂ：リブ、５３ａ・５３ｂ：第１凹凸面、６４ａ・６４ｂ：第２凹凸面。
【図１】
2020146107.tif 000003
【図２】
2020146107.tif 000004
【図３】
2020146107.tif 000005
【図４】
2020146107.tif 000006
【図５】
2020146107.tif 000007
【図６】
2020146107.tif 000008
【図７】
2020146107.tif 000009